【事件の表示】
　特許第３４５７４５８号「インクジェットヘッド」の請求項１に係る特許に対する特許異議の申立てについて、次のとおり決定する。
【結　論】
　訂正を認める。
　特許第３４５７４５８号の請求項１に係る特許を取り消す。
【理　由】
１．手続きの経緯
　本件特許第３４５７４５８号に係る発明の出願は、平成８年３月２２日に特許出願され、平成１５年８月１日にその発明について特許権の設定登録がなされ、その後、その特許について、異議申立人渡辺等より特許異議の申立てがなされ、取消理由通知がなされ、その指定期間内である平成１６年１２月２２日に訂正請求がなされたものである。
　
２．訂正の適否についての判断
（１）訂正の内容
　１）訂正事項ａ
　特許請求の範囲を次に訂正する（下線は訂正箇所を示す。）。
「【請求項１】ノズルを形成したノズル形成部材の表面に撥水処理を施したインクジェットヘッドにおいて、このインクジェットヘッドは前記ノズル形成部材の周縁部とこのヘッドの側面を覆
い、記録媒体との対向面が平坦面である
　２）訂正事項ｂ
　明細書段落【０００８】を次に訂正する（下線は訂正箇所を示す。）。
「【課題を解決するための手段】
　上記の課題を解決するため、請求項１のインクジェットヘッドは、ノズルを形成したノズル形成部材の表面に撥水処理を施したインクジェットヘッドにおいて、このインクジェットヘッドは前記ノズル形成部材の周縁部とこのヘッドの側面を覆
い、記録媒体との対向面が平坦面である
　３）訂正事項ｃ
　明細書段落【００３０】を次に訂正する（下線は訂正箇所を示す。）。
「【発明の効果】
　以上説明したように、請求項１のインクジェットヘッドによれば、ノズル形成部材の周縁部とこのヘッドの側面を覆
い、記録媒体との対向面が平坦面である
　
（２）訂正の目的、新規事項の有無、拡張変更の存否の各要件についての判断
　上記訂正事項ａは、請求項１について、ノズルカバーの記録媒体との対向面が平坦面であることを、願書に添付した明細書又は図面に記載した事項の範囲内（特に、明細書段落【００２２】、及び図１，４〜７等参照。）で限定するものであり、また、上記訂正事項ｂ，ｃは、発明の詳細な説明の記載を訂正後の特許請求の範囲の記載に整合させるためのものであるから、上記訂正は、特許請求の範囲の減縮、及び明りょうでない記載の釈明を目的とし、新規事項の追加に該当せず、実質上特許請求の範囲を拡張し又は変更するものでもない。
　
（３）訂正の適否のまとめ
　以上のとおりであるから、上記訂正は、平成１１年改正前の特許法第１２０条の４第２項及び同条第３項において準用する特許法第１２６条第２項から第４項までの規定に適合するので、当該訂正を認める。
　
３．特許異議の申立てについての判断
（１）本件発明
　本件請求項１に係る発明は訂正明細書の特許請求の範囲の請求項１に記載された事項により特定されるとおりのものである（上記訂正事項ａ参照。以下、「本件発明」という。）。
　
（２）取消理由の概要
　当審が平成１６年１０月２５日（起案日）付けで通知した取消理由は、本件発明の特許が特許法第２９条第２項の規定に違反してなされたというものであり、引用した刊行物１〜３は次のとおりである。
　刊行物１：特開平２−１８８２６０号公報
　刊行物２：特開平５−６９５４２号公報
　刊行物３：特開平６−１４３５７３号公報
　
（３）引用した刊行物に記載された事項と発明
　１）刊行物１
　刊行物１には次の事項が記載されている（「・・・」は中略を示す。）。
　ａ．「前記吐出口形成部材および／または前記押え部材は表面に撥インク処理が施されている」（３頁左上欄１０〜１１行）
　ｂ．「本発明は・・・インク吐出口面をワイピングするためのワイピング機構を有したインクジェット記録装置・・・に関する。」（３頁右上欄３〜７行）
　ｃ．「インクジェット記録装置では、空気中に散乱した吐出インク滴の一部やサテライト、あるいは記録媒体からのインクのはね返り等によって吐出口面に濡れが生じる場合があり、さらには記録画像の定着促進のために記録媒体から蒸発させられた水分が吐出口面に結露して同様に濡れを生じる場合がある。この吐出口面の濡れは吐出方向の偏向等、吐出性能を損なうものであり、一般的には、ワイピングによってこの濡れを除去する構成が採られる。」（３頁右下欄末行〜４頁左上欄９行）
　ｄ．「第１図・・・において、１は記録ヘッド本体のベース板であり、・・・基板１上には・・・（ヒータボード）２が接着され・・・その表面には・・・電気熱変換体・・・ダイオード等が形成されている。３はオフィリスプレート（吐出口形成部材）であり、ここでは、インク液室を形成するための溝を設けた天板３Ａと一体成形されている。４はフィルタであり、チップタンク５から共通液室６に至るインク供給口に設けられる。・・・フィルタ４を通過したインクは・・・複数のインク液室７の各々にその吐出に応じて供給される。９はオリフィスプレート３をその弾性力等で押え、開口面（ここでは特にヒータボード２の端面）に対して密着させる押え部材である。」（４頁右下欄４行〜５頁左上欄４行）
　ｅ．「インク液室７内に配設された電気熱変換体を駆動することにより・・・オリフィス（吐出口）８を介してインクを吐出する。・・・インク滴は吐出口面に対して垂直に偏向なく吐出される。」（５頁左上欄１２〜１８行）
　ｆ．「押え部材の機能としては、前述したオリフィスプレートを押えるためだけでなく、その表面の平滑性により、キャッピングの際の密着性を上げる」（５頁右上欄１５〜１８行）
　ｇ．「記録ヘッド１１の往復動作における適切なタイミングおよび所定の方向でブレード１０を・・・突出させ、ヘッド１１の往復動作に関連させてヘッド１１の吐出口面をワイピングする。」（５頁左下欄１１〜１５行）
　ｈ．「ワイピング部材として、ゴム等のブレードでなく、吸収体を用いてもよく」（６頁右上欄１０〜１１行）
　ｉ．「オリフィスプレートに撥水処理が施されていればさらによいことは言うまでもない。」（６頁右下欄１〜２行）
　ｊ．第１図（Ａ）（Ｂ）及び第２図（Ａ）（Ｂ）の記載を、上記ａ〜ｉを参酌しつつみれば、押え部材９が吐出口形成部材３の周縁部を覆っていること、ただし、ヘッド１１の側面を覆っているとはいえないこと、吐出口形成部材３が少なくともプレート状部分と天板３Ａを一体整形した部分からなっていること、吐出口形成部材３と押え部材９の表面がインク滴の吐出方向を向いていること、吐出口形成部材３の表面がインク滴の吐出方向に少し突出しており、そのため、押え部材９の表面が吐出口形成部材３とその周囲の部材との境界付近で屈曲していること、などが看取できる。
　上記ａ，ｃ，ｈ，ｉからみて、吐出口形成部材３と押え部材９の表面に施される撥インク処理が撥水処理でもあることは明らかであり、上記ｅ．ｊも勘案すれば、吐出口形成部材３と押え部材９の表面が記録媒体との対向面であることも明らかである。
　したがって、刊行物１には、上記ａ〜ｊを含む全記載によれば、次の発明（以下、「引用発明１」という。）が記載されているものと認められる。
「吐出口８を形成した吐出口形成部材３の表面に撥水処理を施したインクジェット記録装置のヘッド１１において、このインクジェット記録装置のヘッド１１は前記吐出口形成部材３の周縁部を覆い、ただし、このヘッド１１の側面を覆っておらず、記録媒体との対向面が吐出口形成部材３とその周囲の部材との境界付近で屈曲している平滑面である押え部材９を備え、この押え部材９の記録媒体との対向面に撥水処理を施したインクジェット記録装置のヘッド１１。」
　
　２）刊行物２
　ノズルプレート２０の外縁が接合し、内部にインク滴形成手段が構成されているフレーム１９を備えたインクジェットヘッド１について記載されている（段落【０００８】、図１等）。
　
　３）刊行物３
　刊行物３の段落【００２７】には、「図１１は、上述した本発明の振動板を使用したインクジェット記録ヘッドの一実施例を示すものであって、図中符号９０は、駆動回路などが実装される基板９１に固定された基台で、複数の振動子を備えた振動ユニット９３，９３をユニット収容室９２，９２に収容し、また貫通孔にインクカートリッジからのインクを供給するインク供給管９３を収容して構成されている。インク供給管９３は、一端がリザーブタンクを形成する通孔１０１に連通する開口９５を、また他端がインクカートリッジに接続する接続針９６に連通している。１００は、上述した本発明が特徴とする振動板で、基台９０に対向する側には圧電振動子の先端に当接するこの図では図示しないアイランド部４１（図５）と、インク供給管の開口９５に連通する通孔１０１とを設けて構成されている。１０５は、スペーサで、通孔１０１に連通するリザーブタンクや圧力室を形成する通孔１０６，１０７が設けられている。１１０は、ノズルプレートで、圧力室となる通孔１０７に対向する位置にノズル開口１１１、１１１を穿設して構成されている。これら振動板１００、スペーサ１０５、及びノズルプレート１１０は、基台９０に積層された上で、金属製の枠体１１５により基台９０に気密を保持できるように固定されてまとめ上げられ、また枠体１１５から延びるリード片１１６を基板９１の駆動回路のアースに接続されて接地されている。これにより、ノズルプレート１１０が無用に帯電して塵埃がノズル開口に付着するのを防止することができる。」と記載されている。
　また、この記載を参酌しつつ図１１をみれば、枠体１１５が、基台９０とこれに振動板１００，スペーサ１０５，ノズルプレート１１０が順に積層されてなるインクジェット記録ヘッドを、ノズルプレート１１０の周縁部からこのヘッドの側面上部（ノズルプレート１１０側を上部とする。）にかけて覆うものであること、かつ、枠体１１５の表面が、記録媒体と対向する平坦面であること、などが看取できる。
　これらの記載を含む全記載によれば、刊行物３には、次の発明（以下、「引用発明３」という。）が記載されているものと認められる。
「ノズル開口１１１を形成したノズルプレート１１０を有するインクジェット記録ヘッドにおいて、このインクジェット記録ヘッドは前記ノズルプレート１１０の周縁部とこのヘッドの側面上部を覆い、記録媒体との対向面が平坦面である枠体１１５を備えたインクジェット記録ヘッド。」
　
（４）対比・判断
　１）その１（引用発明１との対比・判断）
　本件発明（前者）と引用発明１（後者）を対比するに、後者の「吐出口８」、「吐出口形成部材３」、「インクジェット記録装置のヘッド１１」は、それぞれ、前者の「ノズル」、「ノズル形成部材」、「インクジェットヘッド」に対応する。
　また、後者の「押え部材９」は、吐出口形成部材３の周縁部を覆っており、ノズルカバーと称してよいものであるから、前者の「ノズルカバー」とは、「少なくとも前記ノズル形成部材の周縁部を覆うノズルカバー」といえる点で共通する。
　したがって、両者は、「ノズルを形成したノズル形成部材の表面に撥水処理を施したインクジェットヘッドにおいて、このインクジェットヘッドは少なくとも前記ノズル形成部材の周縁部を覆うノズルカバーを備え、このノズルカバーの記録媒体との対向面に撥水処理を施したことを特徴とするインクジェットヘッド。」である点で一致し、次の点で相違する。
　＜相違点＞ノズルカバーについて、前者では、ヘッドの側面も覆うものであり、記録媒体との対向面が平坦面であり、その撥水処理がインク残留を防ぐためであるのに対して、後者では、ヘッドの側面を覆うものではなく、記録媒体との対向面はノズル形成部材とその周囲の部材との境界付近で屈曲しており、撥水処理がインク残留を防ぐためであることについては後者に係る刊行物１に特には明記がない点。
　なお、後者における各面についての撥水処理が全面的になされているのか否か定かでないとしても、前者では、各面を全面的に撥水処理することについて規定していないため、後者の場合との差異は見出し難いが、仮に、前者において、各面を全面的に撥水処理することが意図されているとした場合については、以下の検討の中で触れることとする。
　
　以下、相違点について検討する。
　
　上記刊行物３には、その記載された枠体１１５がノズルプレート１１０の周縁部を覆うものであってノズルカバーといえるから、ノズル形成部材（ノズルプレート１１０）の周縁部とヘッドの側面上部を覆うと共に記録媒体との対向面が平坦面であるノズルカバーについて記載されているといえる。
　引用発明１のノズルカバー（押え部材９）がノズル形成部材（吐出口形成部材３）とその周囲の部材との境界付近で屈曲しているのは、上述したように、ノズル形成部材の表面がインク滴の吐出方向に少し突出しているためであるが、その記載された構成からみて必ず突出していなければならないというものではないし、カバーで側面を覆えないようなヘッド構成になっているわけでもないから、刊行物３記載の上記事項に基づいて、引用発明１のノズルカバーとして、ノズル形成部材の周縁部とヘッドの側面上部を覆うと共に記録媒体との対向面が平坦面であるものを採用できるようにすることは、それを阻害する要因もなく、当業者が必要に応じて適宜なし得たことといえる。
　本件発明ではヘッドの側面のどの範囲を覆うかについて規定がないため、刊行物３記載のノズルカバー（枠体１１５）がヘッドの側面上部を覆っていることとの差異は見出せないが、仮に、側面の広い範囲を覆うことを意図しているとしても、その程度のことは当業者であれば適宜決定できることにすぎない。
　また、刊行物１における「前記吐出口形成部材および／または前記押え部材は表面に撥インク処理が施されている」（上記ａ）及び「オリフィスプレートに撥水処理が施されていればさらによいことは言うまでもない。」（上記ｉ）の記載では、ノズル形成部材（吐出口形成部材３）の表面とノズルカバー（押え部材９）の上記対向面の各面を全面的に撥水処理していることが明記されているとまではいえないが、記録媒体と対向する面にインクが付着しない方が望ましいことは容易に理解できることであり、これらの記載に接した当業者であれば、ワイピング用のブレードや吸収体が各面のどの範囲に接触するか否かにかかわらず、各面を全面的に撥水処理する方が、部分的に撥水処理するよりも、インクの付着をより防止できるであろうことは容易に想起できることといえるから、仮に、本件発明において、各面を全面的に撥水処理することが意図されているとした場合であっても、そのようにすることは当業者が必要に応じて適宜なし得たことといえる。
　さらに、一般に、インクジェットヘッドの撥水処理が、インク滴を吐出する側の面であり、かつ、記録媒体と対向する面にインクが付着し難くするためであることは明らかであって、インク残留を防ぐ意図があることは容易に理解できることであるし、本件発明が「インク残留を防ぐための撥水処理」とした点が、引用発明１の撥水処理とは異なる処理であることを規定しているともいえないから、この点に格別のものは認められない。
　なお、特許権者は、平成１６年１２月２２日付意見書において、刊行物１の押え部材はオリフィスプレートに接合されているものではなく、刊行物３にはノズルプレート１１０と枠体１１５とが接合されているとの記載がないと主張するが、「接合」について具体的な説明はないし、本件発明を特定する事項として用いられてもいないので、この主張は採用できない。
　したがって、上記相違点は当業者が容易になし得た設計の変更であり、本件発明は、上記相違点に係る特定事項を含むことにより予測を超える格別の作用効果を奏するものでもないから、刊行物１，３に記載された発明に基づいて当業者が容易に発明をすることができたものである。
　
　２）その２（引用発明３との対比・判断）
　上記訂正はノズルカバーを限定するものであるが、これに伴い、限定されたノズルカバーにより近いものを備えている引用発明３との対比による別の見方を以下に示す。
　本件発明（前者）と引用発明３（後者）を対比するに、後者の「ノズル開口１１１」、「ノズルプレート１１０」、「インクジェット記録ヘッド」、「枠体１１５」は、それぞれ、前者の「ノズル」、「ノズル形成部材」、「インクジェットヘッド」、「ノズルカバー」に対応する。
　したがって、両者は、「ノズルを形成したノズル形成部材を有するインクジェットヘッドにおいて、このインクジェットヘッドは前記ノズル形成部材の周縁部とこのヘッドの側面を覆い、記録媒体との対向面が平坦面であるノズルカバーを備えことを特徴とするインクジェットヘッド。」である点で一致し、次の点で相違する。
　＜相違点＞前者が、ノズル形成部材の表面に撥水処理を施し、ノズルカバーの記録媒体との対向面にインク残留を防ぐための撥水処理を施しているのに対して、後者は撥水処理を施しているか否か不明である点。
　なお、本件発明ではヘッドの側面のどの範囲を覆うかについて規定がないため、引用発明３がヘッドの側面上部を覆っていることとの差異は見出せず、相違点に含めないが、仮に、側面の広い範囲を覆うことを意図しているとし、相違点としたとしても、その程度のことは当業者であれば適宜決定できることにすぎない。
　
　以下、相違点について検討する。
　
　上記刊行物１には、ノズル形成部材（吐出口形成部材３）の表面とノズルカバー（押え部材９）の記録媒体との対向面とに撥水処理を施すことが記載されているが、インク滴を吐出する側の面であり、かつ、記録媒体と対向する面にインクが付着しない方が望ましいことは容易に理解できることであるから、引用発明３においても、ノズル形成部材（ノズルプレート１１０）の表面とノズルカバー（枠体１１５）の記録媒体との対向面とに撥水処理を施すことは当業者であれば容易に想起できることである。
　本件発明では、ノズル形成部材の表面を全面的に撥水処理するのか否か、ノズルカバーの上記対向面を全面的に撥水処理するのか否か規定がないが、仮に、各面を全面的に撥水処理することが意図されているとしても、その程度のことは当業者であれば適宜なし得ることというべきである。
　また、一般に、インクジェットヘッドの撥水処理が、インク滴を吐出する側の面であり、かつ、記録媒体と対向する面にインクが付着し難くするためであることは明らかであって、当然にインク残留を防ぐ意図もあることは容易に理解できることであるから、本件発明が「インク残留を防ぐための」と規定した点に格別のものがあるとは認められない。
　したがって、上記相違点は当業者が容易になし得た設計の変更であり、本件発明は、上記相違点に係る特定事項を含むことにより予測を超える格別の作用効果を奏するものでもないから、刊行物３，１に記載された発明に基づいて当業者が容易に発明をすることができたものである。
　
４．むすび
　以上のとおりであるから、本件発明についての特許は特許法第２９条第２項の規定に違反してされたものである。
　したがって、本件発明についての特許は、平成１５年改正前の特許法第１１３条第２項に該当し、取り消されるべきものである。
　よって、結論のとおり決定する。
【異議決定日】
平成１７年３月２９日（２００５．３．２９）
【訂正の要旨】
審決（決定）の【理由】欄参照。
（５４）【発明の名称】
インクジェットヘッド
（５７）【特許請求の範囲】
　【請求項１】
　ノズルを形成したノズル形成部材の表面に撥水処理を施したインクジェットヘッドにおいて、このインクジェットヘッドは前記ノズル形成部材の周縁部とこのヘッドの側面を覆
い、記録媒体との対向面が平坦面である
【発明の詳細な説明】
　【０００１】
　【発明の属する技術分野】
　本発明は、インクジェットヘッドに関し、ノズル形成部材の表面に撥水処理を施したインクジェットヘッドに関する。
　【０００２】
　【従来の技術】
　インクジェット記録装置は、記録時の振動、騒音が殆どなく、特にカラー化が容易なことから、コンピュータ等のデジタル処理装置のデータを出力するプリンタの他、ファクシミリやコピー機等にも用いられるようになっている。
　【０００３】
　このようなインクジェット記録装置に用いられるインクジェットヘッドは、圧電素子、発熱抵抗体等のエネルギー発生手段（アクチュエータ）を駆動することによってノズルから液滴化したインク（インク滴）を吐出飛翔させるため、ノズルの形状、精度等がインク滴の噴射特性（インク滴吐出性能）に影響を与えると共に、ノズルを形成しているノズル形成部材の表面の特性がインク滴の噴射特性に影響を与える。例えば、ノズル形成部材表面のノズル周辺部にインクが付着して不均一なインク溜り（所謂濡れムラ）が発生すると、インク滴の吐出方向が曲げられたり、インク滴の大きさにバラツキが生じたり、インク滴の飛翔速度が不安定になる等の不都合が生じることが知られている。
　【０００４】
　そこで、従来のインクジェット記録装置においては、インクジェットヘッド自体にはノズル形成部材表面に撥水処理を施すようにし、装置側にはインクジェットヘッドのノズル形成部材表面を弾性部材でワイピングして残留インクや付着物を除去する信頼性回復機構を備えるようにしている（例えば、特開平４−３５７０４４号公報、特開平６−１４３６０６号公報等）。
　【０００５】
　なお、機水処理としては、例えばシリコン系撥水剤、フッ素系撥水剤などの撥水剤を塗布する方法（特開昭５５−６５５６４号公報参照）、フロロアルコキシシランなどで表面処理する方法（特開昭５６−８９５６９号公報参照）、フッ素系化合物やシラン系化合物のプラズマ重合膜を形成する方法（特開昭６４−８７３５９号公報参照）、フロロシリコーンコーティング剤で処理する方法（特開平２−３９９４４号公報参照）、フッ素系高分子共析メッキで撥水層を形成する方法（特開昭６３−３９６３号公報、特開平４−２９４１４５号公報参照）などが知られている。
　【０００６】
　【発明が解決しようとする課題】
　ところで、インクジェット記録装置にインクジェットヘッドを装着する場合、インクジェットヘッドをノズル形成部材の周縁部とヘッドの側面を覆うノズルカバー内に収納して装置本体に装着することが考えられる。このようにした場合、インクジェットヘッドのノズル形成部材の表面に撥水処理を施していても、ノズルカバーには撥水処理が施されていないため、ワイピングによってノズルカバーの表面にインクが残留して記録媒体を汚すなどの事態が生じることになる。
　【０００７】
　本発明は上記の点に鑑みてなされたものであり、ノズルカバーを備えるインクジェットヘッドのワイピング性能を向上することを目的とする。
　【０００８】
　【課題を解決するための手段】
　上記の課題を解決するため、請求項１のインクジェットヘッドは、ノズルを形成したノズル形成部材の表面に撥水処理を施したインクジェットヘッドにおいて、このインクジェットヘッドは前記ノズル形成部材の周縁部とこのヘッドの側面を覆
い、記録媒体との対向面が平坦面である
　【０００９】
　【００１０】
　【００１１】
　【００１２】
　【発明の実施の形態】
　以下、本発明の実施の形態を添付図面を参照して説明する。図１は本発明を適用するインクジェットヘッドの一例を示す分解斜視図、図２は同インクジェットヘッドの要部断面図、図３は同インクジェットヘッドの図２と直交する方向の要部断面図である。
　【００１３】
　このインクジェットヘッドは、セラミック、ガラスエポキシ樹脂等からなる絶縁性の基板１上に、２個の積層型圧電素子２を接合して配置し、これらの各列の積層型圧電素子２の周囲を取り囲むフレーム３を接合している。ここで、積層型圧電素子２は、アクチュエータ素子となる駆動部４と単に液室部材を固定支持する非駆動部５を交互に配置している。また、積層型圧電素子２及びフレーム３の上面はほぼ同一平面に位置出し又は研削加工している。
　【００１４】
　そして、これらの積層型圧電素子２及びフレーム３の上面に振動板７を接合している。この振動板７は、変位部となるダイヤフラム８と、非駆動部５に接合する梁９、フレーム３に接合するベース１０から形成し、またダイヤフラム８は駆動部４に対向する凸部１１及び薄膜部分１２から形成している。なお、基板１と積層型圧電素子２及び振動板７との接合は接着剤６によって行っている。
　【００１５】
　この振動板７上に２層構造の感光性樹脂フィルム等からなる液室流路形成部材１３を接着し、この液室流路形成部材１３上に複数のノズル１４を形成したノズル形成部材であるノズルプレート１５を接着している。液室流路形成部材１３は上部隔壁１７及び下部隔壁１８からなり、振動板７及びノズルプレート１５と共に、駆動部４に対向する加圧液室１９、加圧液室１９の両側等に位置する共通液室２０、加圧液室１９と共通液室２０を連通する流体抵抗部を兼ねたインク供給路２１を形成している。
　【００１６】
　ここで、積層型圧電素子２は、図２及び図３に示すように、厚さ２０〜５０μｍ／１層のＰＺＴ（＝Ｐｂ（Ｚｒ・Ｔｉ）Ｏ３）２３と、厚さ数μｍ／１層の銀・パラジューム（ＡｇＰｄ）からなる内部電極２４とを交互に積層したものである。圧電素子を、厚さ２０〜５０μｍ／１層の積層型とすることによって駆動電圧の低電圧化を図れ、例えば２０〜５０Ｖのパルス電圧で圧電素子の電界強度１０００Ｖ／ｍｍを得ることができる。なお、圧電素子として用いる材料は上記に限られるものでなく、一般に圧電素子材料として用いられるＢａＴｉＯ３、ＰｂＴｉＯ３、（ＮａＫ）ＮｂＯ３等の強誘電体などを用いることもできる。
　【００１７】
　この積層型圧電素子２の各内部電極２４は１層おきにＡｇＰｄからなる左右の外部電極２５，２６に接続している。一方、基板１上には、積層型圧電素子２の各列の間に位置して駆動部４に対して駆動波形を印加するための共通電極パターン２７を形成すると共に、駆動部４に対して選択信号を与えるための個別電極パターン２８を設けている。そして、駆動部４の外部電極２５を銀ペースト等の導電性接着剤３０を介して共通電極パターン２７に接続し、外部電極２６を同じく導電性接着剤３０を介して個別電極パターン２８に接続している。なお、共通電極パターン２７はフレーム３の中央部に形成した穴部３１内に導電性接着剤３０を塗布することで各パターン部の導通を取るようにしている。そして、共通電極パターン２７及び個別電極パターン２８にはそれぞれＦＰＣケーブル３２，３３を接続する。
　【００１８】
　また、ノズルプレート１５の表面には撥水処理を施した撥水処理部１５Ａと周囲の撥水処理を施していない非撥水処理部１５Ｂとを設けている。なお、基板１、フレーム３及び振動板７には、外部から供給されるインクを共通液室２０に供給するためのインク供給孔３５，３６，３７をそれぞれ形成している。
　【００１９】
　そして、このインクジェットヘッドは、上記の各部の組付後基板１をヘッドホルダ３８上に取付け、ノズルプレート１５の周縁部及びヘッド側面を覆うノズルカバー３９を被せて、このノズルカバー３９をノズルプレート１５の非撥水処理部１５Ｂ又はフレーム３上面に接着剤で固定している。
　【００２０】
　このインクジェットにおいては、共通電極パターン２７を介して駆動部４に駆動波形を印加し、個別電極パターン２８を介して記録画像に応じた選択信号を駆動部４に印加することによって、選択された駆動部４に積層方向の変位が生起して対応する加圧液室１９を振動板７のダイヤフラム８を介して加圧し、これによって加圧液室１９内のインクが加圧されてノズル１４からインク滴となって噴射して記録媒体に画像を記録する。
　【００２１】
　そこで、本発明に係るノズルカバーの実施例について図４以降を参照して説明する。図４は本発明の第１実施例を示すインクジェットヘッドの斜視図である。この第１実施例では、ノズルカバー３９の記録媒体と対向する面４０に撥水処理を施している。この撥水処理は、ノズルプレート１５の撥水処理で用いられる前述したような各種の処理方法を適用することができる。
　【００２２】
　このようにノズル形成部材の周縁部とこのヘッドの側面を覆うノズルカバーを備え、このノズルカバーの記録媒体との対向面に撥水処理を施すことによって、ワイピングによってノズルカバーの記録媒体対向面に残留する除去することができて、ワイピング性能が向上する。
　【００２３】
　図５は本発明の第２実施例を示すインクジェットヘッドの斜視図である。この第２実施例では、ノズルカバー３９の両側面３９ａに多数の凹状の溝４１を形成している。したがって、ノズルプレート１５表面をワイピングしたときに不要なインクが溝４１で吸収される。
　【００２４】
　このようにノズル形成部材の周縁部とこのヘッドの側面を覆うノズルカバーを備え、このノズルカバーの側面に凹状の溝を形成することによってノズルプレート表面をワイピングしたときの不要なインクが溝に吸収されて、ワイピング性能が向上する。
　【００２５】
　図６は本発明の第３実施例を示すインクジェットヘッドの斜視図である。この第３実施例では、ノズルカバー３９の両側面を化学的、或いは機械的若しくは電気的に粗す粗面化処理をした粗面４２としている。したがって、ノズルプレート１５表面をワイピングしたときに不要なインクが毛細管現象により粗面４２で吸収される。
　【００２６】
　このようにノズル形成部材の周縁部とこのヘッドの側面を覆うノズルカバーを備え、このノズルカバーの側面に粗面化処理を施すことによってノズルプレート表面をワイピングしたときの不要なインクが吸収されて、ワイピング性能が向上する。
　【００２７】
　図７は本発明の第４実施例を示すインクジェットヘッドの斜視図である。この第４実施例では、ノズルカバー３９の両側面に上述したような溝を形成し、或いは化学的、或いは機械的若しくは電気的に粗す粗面化処理をした上、インクを吸収可能なスポンジ、フェルト等のインク吸収部材４３を設けている。したがって、ノズルプレート１５表面をワイピングしたときに不要なインクが溝や粗面を介してインク吸収部材４３で吸収保持される。
　【００２８】
　このようにノズル形成部材の周縁部とこのヘッドの側面を覆うノズルカバーを備え、このノズルカバーの側面にインク吸収部材を設けることによってノズルプレート表面をワイピングしたときの不要なインクが吸収されて、ワイピング性能が向上する。
　【００２９】
　なお、上記第１実施例と第２、第３、第４実施例を組合わせることもできる。
　【００３０】
　【発明の効果】
　以上説明したように、請求項１のインクジェットヘッドによれば、ノズル形成部材の周縁部とこのヘッドの側面を覆
い、記録媒体との対向面が平坦面である
　【００３１】
　【００３２】
　【００３３】
【図面の簡単な説明】
　【図１】
　本発明を適用するインクジェットヘッドの一例を示す分解斜視図
　【図２】
　同インクジェットヘッドの模式的断面図
　【図３】
　同インクジェットヘッドの図２と直交する方向の模式的断面図
　【図４】
　本発明の第１実施例を示す外観斜視図
　【図５】
　本発明の第２実施例を示す外観斜視図
　【図６】
　本発明の第３実施例を示す外観斜視図
　【図７】
　本発明の第４実施例を示す外観斜視図
　【符号の説明】
　１…基板、２…積層型圧電素子、３…フレーム、４…駆動部、５…非駆動部、７…ノズルプレート、１３…液室流路形成部材、１４…ノズル、１５…ノズルプレート、１５Ａ…撥水処理部、１５Ｂ…非撥水処理部、３８…ヘッドホルダ、３９…ノズルホルダ、４０…記録媒体対向面、４１…溝、４２…粗面、４３…インク吸収部材。